(57)【特許請求の範囲】
【請求項１】
ゴム支承体の橋軸方向の両側に、ゴム支承体の水平変位を制限するブロック本体を固定して成る橋桁ゴム支承体のサイドブロックにおいて、
前記ブロック本体を前記ゴム支承体の側面に対向する位置で前記ゴム支承体の高さ内で高さ方向に複数のブロックに分割して構成し、これら複数の分割されたブロックの相互間を複数本のボルトで締め付け固定すると共に、下部側のブロックを前記ゴム支承体の下面を支持する支持プレート側から複数本の締結ボルトにより締め付け固定して成る橋桁ゴム支承体のサイドブロック。
【請求項２】
前記複数に分割したブロックの相互間に、サイドブロックキーを介在させた請求項１に記載の橋桁ゴム支承体のサイドブロック。
【発明の詳細な説明】
【０００１】
【発明の属する技術分野】
この発明は、橋桁ゴム支承体のサイドブロックにかかわり、更に詳しくはゴム支承体の橋軸方向に作用する大水平力に応して、その大水平力に対応して容易に製作できる橋桁ゴム支承体のサイドブロックに関するものである。
【０００２】
【従来の技術】
従来、橋桁の橋軸方向（矢印Ｘ方向）には、図４及び図５に示すようなゴム状弾性シートと鋼板とを積層させたゴム支承体１が設置され、このゴム支承体１の橋軸方向の両側には、ゴム支承体１に作用する水平力Ｆによる水平変位を制限する逆Ｔ字状の鋼材を用いて製作した所定高さｈのサイドブロック本体２が固定してある。
【０００３】
【発明が解決しようとする課題】
然しながら、ゴム支承体１の高さや、設計水平力が大きくなる従いサイドブロック本体２に作用するモーメントが大きくなり、これに抵抗するため、サイドブロック本体２の幅を大きくしなければならず、遂には必要鋼材が製造不可能な寸法となってしまうと言う問題があった。
【０００４】
また、取付けボルト３の径や本数を増加する場合も考えられるが、平面が大きくなってしまいゴム支承体が複雑になると共に、取付け作業に多くの手間と時間がかかると言う問題があった。
この発明の目的は、ゴム支承体の高さや設計水平力が大きくなっても、ブロック本体を大きくしたり、複雑な構造にすることなく、大水平力に対応して容易に製作できる橋桁ゴム支承体のサイドブロックを提供することにある。
【０００５】
【課題を解決するための手段】
この発明は、上記目的を達成するため、ブロック本体をゴム支承体の側面に対向する位置で前記ゴム支承体の高さ内で高さ方向に複数のブロックに分割して構成し、これら複数の分割されたブロックの相互間を複数本のボルトで締め付け固定すると共に、下部側のブロックを前記ゴム支承体の下面を支持する支持プレート側から複数本の締結ボルトにより締め付け固定したことを要旨とするものである。このように、ブロック本体をゴム支承体の側面に対向する位置で前記ゴム支承体の高さ内で高さ方向に複数に分割して構成することにより、上部側，下部側のブロックをそれぞれゴム支承体の高さに対応した製造可能な鋼板の厚さ範囲に設計することが出来、所要の全サイドブロックの高さを得ることが出来る。
【０００６】
またブロック本体の水平力方向の幅は自由度があるので、締結ボルトにかかる引張り力を適切にすることが出来、この結果、ゴム支承体の全体を合理的な平面寸法とすることが出来るものである。
【０００７】
【発明の実施の形態】
以下、添付図面に基づきこの発明の実施の形態を説明する。
図１は、この発明を実施したゴム支承体１１の橋軸方向の半断面図を示し、ゴム支承体１１の橋軸方向（矢印Ｘ方向）の両側、即ち、起点側Ｘａと終点側Ｘｂには、ゴム支承体１１の水平変位を制限するブロック本体１２が設置してある。
【０００８】
前記ブロック本体１２は、図２及び図３に示すように、ブロック本体１２を高さ方向Ｈに複数に分割して構成してある。
即ち、この発明の実施形態では、ブロック本体１２を断面凸状の上部側ブロック１３と、この上部側ブロック１３の下面側を支持する下部側ブロック１４とにより構成し、上部側ブロック１３の凸部１３ａの両側に位置する袖部１３ｂ，１３ｂと、下部側ブロック１４とを複数本の締結ボルト１５ａにより締め付け固定すると共に、下部側ブロック１４とゴム支承体１１の支持プレート１６とを、複数本の締結ボルト１５ｂにより締め付け固定する。
【０００９】
なお、上記の実施形態では、ブロック本体１２の高さを上下２分割にして構成してあるが、２分割以上に分割して構成することも可能である。
また、図１に示すように、ゴム支承体１の終点側Ｘｂにおける上部側ブロック１３と下部側ブロック１４との間、及び下部ブロック１４と支持プレート１６との間に、サイドブロックキー１７を介在させてある。
【００１０】
以上のように、ブロック本体１２を高さ方向に複数に分割して構成することにより、上部側，下部側のブロック１３，１４をそれぞれゴム支承体１１の高さに対応した製造可能な鋼板の厚さ範囲に設計することが出来、所要の全サイドブロックの高さを得ることが出来る。またブロック本体１２の水平力方向の幅は自由度があるので、締付ボルト１５ａ，１５ｂにかかる引張り力を適切にすることが出来、この結果、ゴム支承体１１の全体を合理的な平面寸法とすることが出来るものである。
【００１１】
また、ブロック本体１２の水平力Ｆは、分割された上部側及び下部側のブロック１３，１４を固定する締付ボルト１５ａ，１５ｂの締め付け力Ｔ１，Ｔ２でそれぞれ作用高さｈ１，ｈ２にて支持することが出来るので、ブロック本体１２の形状を大きくすることなく、所要の寸法で分割されたブロック本体１２を製作することが出来る。
【００１２】
以上のように、この発明ではブロック本体１２を高さ方向に複数に分割して構成することにより、上部側，下部側のブロック１３，１４をそれぞれゴム支承体１１の高さに対応した製造可能な鋼板の厚さ範囲に設計することが出来、所要の全サイドブロックの高さを得ることが出来る。
またブロック本体１１の水平力方向の幅は自由度があるので、締結ボルト１５ａ，１５ｂにかかる引張り力を適切にすることが出来、この結果、ゴム支承体１１の全体を合理的な平面寸法とすることが出来るものである。
【００１３】
【発明の効果】
この発明は、上記のようにブロック本体をゴム支承体の側面に対向する位置で前記ゴム支承体の高さ内で高さ方向に複数のブロックに分割して構成し、これら複数の分割されたブロックの相互間を複数本のボルトで締め付け固定すると共に、下部側のブロックをゴム支承体の下面を支持する支持プレート側から複数本の締結ボルトにより締め付け固定したので、ゴム支承体の高さや設計水平力が大きくなっても、ブロック本体を大きくしたり、複雑な構造にすることなく、大水平力に対応して容易に製作でき、またブロック本体の水平力方向の幅は自由度があるので、締結ボルトにかかる引張り力を適切にすることが出来、この結果、ゴム支承体の全体を合理的な平面寸法とすることが出来る効果がある。
【図面の簡単な説明】
【図１】この発明を実施したゴム支承体の橋軸方向の断面図である。
【図２】この発明の分割したサイドブロックの一部拡大正面図である。
【図３】図２のＡーＡ矢視側面図である。
【図４】従来のサイドブロックの一部拡大正面図である。
【図５】図４のＢーＢ矢視側面図である。
【符号の説明】
１１  ゴム支承体                  １２  ブロック本体
１３  上部側ブロック              １４  下部側ブロック
１３ａ  凸部                      １３ｂ  裾部
１５ａ，１５ｂ  締結ブロック        １６  支持プレート
１７  サイドブロックキー            Ｘ  橋軸方向
Ｈ  ブロック本体の高さ方向
【図１】
0003992335.tif 000002
【図２】
0003992335.tif 000003
【図３】
0003992335.tif 000004
【図４】
0003992335.tif 000005
【図５】
0003992335.tif 000006